(57)【要約】【課題】パチンコ島台内部の貯留タンクに貯留可能なパチンコ球量を増加できるパチンコ球研磨揚送装置を提供する。【解決手段】螺旋状回転体１２を内部に配設した揚送筒４を鉛直に支持し、該揚送筒の下方部４ｂをパチンコ島台の長手方向と直交する方向に緩やかに湾曲する曲線状に形成し、該下方部４ｂの上側に研磨ペレットを貯留するペレットタンク１５を配置し、該ペレットタンクよりも下方であって該揚送筒の上面に流入口２２を開設し、該流入口の両脇に一対のパチンコ球流込筐２３ａ，２３ｂを設け、パチンコ球を該パチンコ球流込筺から該流入口２２に流入させ、ペレットタンク１５の下縁部から流出する研磨ペレットと該パチンコ球とが該流入口２２にて混合されるようにした。【選択図】図８
2018175769.tif 000002
【特許請求の範囲】
【請求項１】
パチンコ島台の長手方向の略々中間部位に揚送装置本体を設け、該揚送装置本体の両側に設けられた一対の貯留タンクから該揚送装置本体にパチンコ球を流入させて該パチンコ球を上部タンクに揚送するパチンコ球研磨揚送装置であって、モータにより回転駆動される螺旋状回転体を内部に配設した揚送筒を鉛直に支持し、該揚送筒の下方部をパチンコ島台の長手方向と直交する方向に緩やかに湾曲する曲線状に形成し、該揚送筒の湾曲する下方部の上側に研磨ペレットを貯留するペレットタンクを配置し、該ペレットタンクよりも下方であって該揚送筒の上面に流入口を開設し、該流入口の両脇に一対のパチンコ球流込筺を設け、前記貯留タンクから流出させたパチンコ球を該パチンコ球流込筺から該流入口に流入させ、前記ペレットタンクの下縁部から流出する研磨ペレットと該パチンコ球とが該流入口にて混合されるようにしたことを特徴とするパチンコ球研磨揚送装置。
【請求項２】
前記揚送筒の下方部は６００ｍｍ〜１２００ｍｍの曲率半径にてパチンコ島台の長手方向と直交する方向の幅４００ｍｍ〜７００ｍｍに亘って緩やかに湾曲する曲線状に形成されていることを特徴とする請求項１に記載したパチンコ球研磨揚送装置。
【請求項３】
前記流入口は揚送筒の下端部の周壁の上半部を切除することにより形成され、該流入口の上方部を前記パチンコ球流込筺の側壁および囲壁によって囲うとともに、前記ペレットタンクの下縁部に形成されたペレット流出口に前記流入口の上方部に延びる一対の縦板部を備えたペレット流入用スロートを設け、該ペレット流入用スロートの両側にパチンコ球流入部が形成されるようにしたことを特徴とする請求項１または２に記載したパチンコ球研磨揚送装置。
【請求項４】
前記囲壁は開閉可能に設けられ、該囲壁を開くことにより研磨ペレットを交換のため外部に排出し得るようにしたことを特徴とする請求項１〜３のいずれかに記載したパチンコ球研磨揚送装置。
【請求項５】
前記揚送筒の上端部に設けられたモータにより前記螺旋状回転体が回転駆動されるようにしたことを特徴とする請求項１〜４のいずれかに記載したパチンコ球研磨揚送装置。
【発明の詳細な説明】
【技術分野】
【０００１】
本発明は、遊技場におけるパチンコ島台の内部に設けられるパチンコ球研磨揚送装置に関するものである。
【背景技術】
【０００２】
多数のパチンコ機を並設してなるパチンコ遊技場のパチンコ島台は、周知のように内部に貯留タンクが設けられ、各パチンコ機から排出されたパチンコ球が該貯留タンクに貯留される。そして、該パチンコ島台内に設けられたパチンコ球揚送装置により、該貯留タンクのパチンコ球が上部タンクに揚送され、該上部タンクから該パチンコ球が球供給樋を通して各パチンコ機に供給されるようにしている。
【０００３】
特許文献１に示されたパチンコ球研磨揚送装置は、粒状の合成樹脂からなる研磨ペレットをパチンコ球に混合して揚送することにより、パチンコ球の汚れを該研磨ペレットに付着させ、揚送と同時に該パチンコ球が研磨されるようにしたものである。
図１１にこのようなパチンコ島台内に設けられる従来からのパチンコ球研磨揚送装置１００と、その左右両側に設けられた貯留タンク１０１ａおよび貯留タンク１０１ｂと、上部タンク１０２を示す。パチンコ球研磨揚送装置１００は、パチンコ島台の長手方向略中間位置に揚送筒１１０を鉛直に設け、その上端部に設けたモータにより回転駆動されるパチンコ球揚送用螺旋状回転体１１１を該揚送筒１１０内に設けるとともに、該揚送筒の下端開口にエルボ１１２を介して連なる横送筒部１１３を該パチンコ島台の長手方向に沿うように組付板１２４上に設け、該横送筒部１１３内にモータ１１４によって回転駆動されるパチンコ球横送用螺旋状回転体１１５を設け、貯留タンク１０１ａと貯留タンク１０１ｂに貯留されたパチンコ球を傾斜樋１１６ａ，１１６ｂおよび該横送筒部の一側に設けられたパチンコ球流込筺１１７を経て該横送筒部１１３内に流入させ、流入したパチンコ球は該横送筒部１１３内からエルボ１１２を経て揚送筒１１０内に送り込まれ、回転する前記パチンコ球揚送用螺旋状回転体１１１によって上部タンク１０２に揚送されるようにしている。なお、１２０はペレットタンクで、該タンクから排出された研磨ペレットがパチンコ球流込筺１１７にてパチンコ球と合流し、パチンコ球と混合されて揚送筒１１０内を通って上部タンク１０２に揚送され、該上部タンク１０２内でパチンコ球と分離される。そして、ペレット戻管１２１を通ってペレットタンク１２０に回収され循環する。なお、１２２ａ，１２２ｂはそれぞれ傾斜樋１１６ａ，１１６ｂに設けた電動シャッターで、該電動シャッターを開閉することにより、貯留タンク１０１ａ，１０１ｂからのパチンコ球の流出が制御される。また、１２３ａ，１２３ｂは、この島台のパチンコ機（島台長手方向の略々中間部に設けられているパチンコ機）から排出されたパチンコ球を貯留タンク１０１ａ，１０１ｂに導くために設けられた傾斜状の球回収樋である。
【先行技術文献】
【特許文献】
【０００４】
【特許文献１】特許第２６１０１６４号公報
【特許文献２】特許第３７３９４２６号公報
【発明の概要】
【発明が解決しようとする課題】
【０００５】
ところで、パチンコ球研磨揚送装置１００は、パチンコ島台の各パチンコ機に滞りなくパチンコ球を供給すると同時に、該各パチンコ機から排出されたパチンコ球を回収するため、該パチンコ島台の長手方向略中間位置に配置され、その左右両側に貯留タンク１０１ａおよび貯留タンク１０１ｂが設けられるが、図１１に示した如くの従来のパチンコ球研磨揚送装置１００では、揚送筒１１０の一方に横送筒部１１３が設けられ、該横送筒部１１３にパチンコ球流込筺１１７が設けられていた。このため、一方の貯留タンク１０１ａと揚送筒１１０との距離ａが他方の貯留タンク１０１ｂと揚送筒１１０との距離ｂよりも大幅に長くなることとなり、揚送筒１１０を貯留タンク１０１ａおよび貯留タンク１０１ｂから等距離に配置できないこととなっていた。なお、前記球回収樋１２３ａ，１２３ｂや傾斜樋１１６ａ，１１６ｂの傾斜角度、および、貯留タンク１０１ａ，１０１ｂ内の上板１２４ａ，１２４ｂおよび底板１２５ａ，１２５ｂの傾斜角度は一定角度以上に保つ必要があることから、このような配置であると、貯留タンク１０１ａおよび貯留タンク１０１ｂに実際に貯留可能なパチンコ球数は、該タンク内の底板１２５ａ，１２５ｂと上板１２４ａ，１２４ｂ間の略三角形の空間（図５中に網掛部分で示した）に限られる。このため特に距離ａが長くなってしまう貯留タンク１０１ａには充分な量のパチンコ球を貯留できないという問題があった。
【０００６】
なお、特許文献２の図３に、揚送筒の下部を円弧状に湾曲させ、該下部から揚送筒内に研磨ペレットおよびパチンコ球を流入させるようにしたパチンコ球揚送装置が示されている。しかし、たとえこのように揚送筒を湾曲させた構造にしたとしても、上記のようなアンバランスは解消されないので、貯留タンク１０１ａに充分な量のパチンコ球を貯留できないことに変わりがない。
【０００７】
また、従来のこのようなパチンコ球研磨揚送装置は、揚送筒内にてパチンコ球と研磨ペレットとが均一に分散せず、パチンコ球が塊となって螺旋状回転体に過大な負荷を掛け、摩擦抵抗も増すため、搬送トラブルを発生するおそれがあった。
本発明はこうした問題点を解決しようとするものである。
【課題を解決するための手段】
【０００８】
そのために本発明に係るパチンコ球研磨揚送装置は、パチンコ島台の長手方向の略々中間部位に揚送装置本体を設け、該揚送装置本体の両側に設けられた一対の貯留タンクから該揚送装置本体にパチンコ球を流入させて該パチンコ球を上部タンクに揚送するパチンコ球研磨揚送装置であって、モータにより回転駆動される螺旋状回転体を内部に配設した揚送筒を鉛直に支持し、該揚送筒の下方部をパチンコ島台の長手方向と直交する方向に緩やかに湾曲する曲線状に形成し、該揚送筒の湾曲する下方部の上側に研磨ペレットを貯留するペレットタンクを配置し、該ペレットタンクよりも下方であって該揚送筒の上面に流入口を開設し、該流入口の両脇に一対のパチンコ球流込筺を設け、前記貯留タンクから流出させたパチンコ球を該パチンコ球流込筺から該流入口に流入させ、前記ペレットタンクの下縁部から流出する研磨ペレットと該パチンコ球とが該流入口にて混合されるようにしたことを特徴とする。
【０００９】
また本発明は上記パチンコ球研磨揚送装置において、前記揚送筒の下方部は６００ｍｍ〜１２００ｍｍの曲率半径にてパチンコ島台の長手方向と直交する方向の幅４００ｍｍ〜７００ｍｍに亘って緩やかに湾曲する曲線状に形成されていることを特徴とする。
【００１０】
また本発明は上記パチンコ球研磨揚送装置において、前記流入口は揚送筒の下端部の周壁の上半部を切除することにより形成され、該流入口の上方部を前記パチンコ球流込筺の側壁および囲壁によって囲うとともに、前記ペレットタンクの下縁部に形成されたペレット流出口に前記流入口の上方部に延びる一対の縦板部を備えたペレット流入用スロートを設け、該ペレット流入用スロートの両側にパチンコ球流入部が形成されるようにしたことを特徴とする。
【００１１】
また本発明は上記パチンコ球研磨揚送装置において、前記囲壁は開閉可能に設けられ、該囲壁を開くことにより研磨ペレットを交換のため外部に排出し得るようにしたことを特徴とする。
また本発明は上記パチンコ球研磨揚送装置において、前記揚送筒の上端部に設けられたモータにより前記螺旋状回転体が回転駆動されるようにしたことを特徴とする。
【発明の効果】
【００１２】
本発明によれば、パチンコ球研磨揚送装置の両側近距離に貯留タンクを配設することができるので、該各貯留タンクに充分な量のパチンコ球が貯留可能となる。また、揚送筒の流入口にパチンコ球が両側から流入し、その間に研磨ペレットが流入するので、研磨ペレットが一方に片寄ることなくパチンコ球と均等に混合される。このためパチンコ球どうしの接触が緩和され、パチンコ球が塊となって螺旋状回転体に過大な負荷を及ぼしトラブルが発生するようなことが解消されるとともに、該研磨ペレットによるパチンコ球の研磨作用も如何なく発揮される。
【図面の簡単な説明】
【００１３】
【図１】本発明に係るパチンコ球研磨揚送装置をパチンコ島台の内部に設けた状況を示す正面図。
【図２】本発明に係るパチンコ球研磨揚送装置の斜視図。
【図３】本発明に係るパチンコ球研磨揚送装置の要部の縦断面図。
【図４】本発明に係るパチンコ球研磨揚送装置の下方部の斜視図。
【図５】本発明に係るパチンコ球研磨揚送装置の下方部の水平断面図。
【図６】図５のＡ−Ａ線断面図。
【図７】本発明に係るパチンコ球研磨揚送装置の下方部の斜視図。
【図８】本発明に係るパチンコ球研磨揚送装置の下方部の縦断面図。
【図９】図８のＢ−Ｂ線断面図。
【図１０】図８のＣ−Ｃ線断面図。
【図１１】従来のパチンコ球研磨揚送装置をパチンコ島台の内部に設けた状況を示す正面図。
【発明を実施するための形態】
【００１４】
（実施例１）
図１に示したパチンコ球研磨揚送装置１が設置されるパチンコ島台の内部の概略から説明する。パチンコ島台内部の長手方向両側に一対の貯留タンク２ａ，２ｂが配設され、該パチンコ島台の各パチンコ機から排出された多数のパチンコ球が該貯留タンク２ａ，２ｂに貯留される。そして、該貯留タンク２ａ，２ｂに貯留されたパチンコ球は、傾斜樋３ａ，３ｂを通してパチンコ球研磨揚送装置１の下部に流下し、揚送筒４を通して上部タンク５に揚送される。なお、３ａ′，３ｂ′は該傾斜樋３ａ，３ｂにそれぞれ設けられたシャッターである。前記上部タンク５に揚送されたパチンコ球は、該上部タンク５の両側面に設けられた整流器６ａ，６ｂから球供給樋（図示せず）に排出され、該パチンコ島台の各パチンコ機に供給される。なお、７は揚送筒４の前側に設けられたオーバーフロー管を示し、該オーバーフロー管７の下端部は変向ボックス８、球回収樋９を介して前記貯留タンク２ａ，２ｂに連通している。
【００１５】
次にパチンコ球研磨揚送装置１の詳細を図２〜図６に従い説明する。このパチンコ球研磨揚送装置１の揚送筒４は、直径９０ｍｍの円筒形の鋼菅からなり、起立フレーム１０によって鉛直に支持される。該揚送筒４の上部は前記上部タンク５中に挿通され、該揚送筒４の上端４ａが前記上部タンク５内に設けられたスノコ状フィルター１１よりも高所にて開口している。そして、該揚送筒４の内部に鋼線をピッチ４４ｍｍでコイル状に形成してなる螺旋状回転体１２を配設し、該揚送筒４の上端４ａ開口から上方に突出する該螺旋状回転体１２の上端部に減速機付のモータ１３の回転出力軸を連結し、該螺旋状回転体１２を所定方向に回転駆動し得るようにしている。前記スノコ状フィルター１１はパチンコ球と樹脂ペレットとを分離させるためのもので、パチンコ球よりも小径の樹脂ペレットは該スノコ状フィルター１１から落下し、落下した樹脂ペレットはペレット戻管１４を流下して後述するペレットタンク１５に集められる。また、上部タンク５内は仕切板１６を設けることにより上段の貯留室１７と下段の溢出室１８が形成され、該貯留室１７と溢出室１８とは鉛直に設けられた溢出筒１９によって連通している。また、上部タンク５には、隣接する両隣の島へ球を供給する球排出口２０と隣島からの球を受け入れる球受入口２１が設けられている。そして、貯留室１７の両側壁に前記整流器６ａ，６ｂが設けられ、該貯留室１７に貯留されたパチンコ球が該整流器６ａ，６ｂを経て該パチンコ島台の各パチンコ機に供給される。また、該溢出室１８の底部に前記オーバーフロー管７が連結される。
【００１６】
揚送筒４の下方部４ｂはパチンコ島台の長手方向と直交する方向に緩やかに湾曲する曲線状に形成され、該下方部４ｂの上側に研磨ペレットを貯留する前記ペレットタンク１５を配置する。そして、該ペレットタンク１５よりも下方であって該揚送筒４の上面に流入口２２を開設し、該流入口２２の両脇に一対のパチンコ球流込筐２３ａ，２３ｂを設け、前記貯留タンク２ａ，２ｂから流出させたパチンコ球を傾斜樋３ａ，３ｂを通して該パチンコ球流込筐２３ａ，２３ｂに流入させる。該パチンコ球流込筐２３ａ，２３ｂの前記流入口２２と相対する側壁面にはそれぞれ球流出口２４ａ，２４ｂが形成され、前記ペレットタンク１５の下縁部で前記流入口２２と相対する部分にはペレット流出口２５が形成されている。また、流入口２２の上方部は、ペレット流出口２５から流出する研磨ペレット、および球流出口２４ａ，２４ｂから流出するパチンコ球が外に零れないようにするために囲壁２６が形成されている。そして該囲壁２６および前記揚送筒４、前記起立フレーム１０の下部を組付板２７上に支持している。なお、該揚送筒４の下端部に軸受２８を設け、該軸受２８によって該螺旋状回転体１２の下端部を回転自在に軸支している。なお、前記ペレット戻管１４には集塵用のホース（図示せず）が接続され、図１に示した集塵装置１４ａに該ペレット戻管１４中のダストが真空吸引される。
【００１７】
このように構成したパチンコ球研磨揚送装置では、揚送筒４の下方部４ｂ上面に形成された流入口２２の両側にパチンコ球流込筐２３ａ，２３ｂの球流出口２４ａ，２４ｂが対峙しているので、パチンコ球が該流入口２２に両側から流入すると同時に、ペレット流出口２５から流出する研磨ペレットがその間から該流入口２２に流入する。このため、パチンコ球と研磨ペレットとが一方に片寄ることなく均等に混合され、螺旋状回転体１２をモータ１３によって回転駆動することにより、揚送筒４中にて該パチンコ球と研磨ペレットが均一に混合した状態で揚送され、パチンコ球ばかりが一か所に固まって揚送されてしまうことなく、螺旋状回転体１２に過大な負荷が掛かることがないとともに、パチンコ球と研磨ペレットとの接触が確実になされるので、パチンコ球がこの揚送により非常に綺麗に研磨される。
【００１８】
また、揚送筒４の下方部４ｂは、パチンコ島台の長手方向と直交する方向に緩やかに湾曲する曲線状に形成され、該揚送筒の上面に開設された流入口２２の両脇に一対のパチンコ球流込筐２３ａ，２３ｂを設け、前記貯留タンク２ａ，２ｂから流出させたパチンコ球を該パチンコ球流込筐２３ａ，２３ｂから該流入口２２に流入させるものであるので、このパチンコ球研磨揚送装置１の両側近距離に貯留タンク２ａ，２ｂを配設することができる。そのために、貯留タンク２ａ，２ｂに貯留されたパチンコ球を自重によって傾斜樋を転動させて揚送筒４の流入口２２に導くことが容易になり、充分な量のパチンコ球を該各貯留タンク２ａ，２ｂに貯留できるようになる。
また、揚送筒４を中間としてその両側に左右対称的にパチンコ球流込筐２３ａ，２３ｂ、傾斜樋３ａ，３ｂ等を設け、両貯留タンク２ａ，２ｂを該揚送筒４から等距離に配置することもできるので、左右で共通の部品を使用することが可能となり、製造コストを軽減させる。
【００１９】
そして、上部タンク５に揚送されたパチンコ球は、スノコ状フィルター１１上を通過して貯留室１７に貯留され、該貯留室１７から該パチンコ島台の各パチンコ機に供給されると共に隣接する両島へ不足球が供給され、該貯留室１７がパチンコ球で満杯になると、前記溢出筒１９を通って下段の溢出室１８に流入し、前記オーバーフロー管７、変向ボックス８、球回収樋９を経て前記貯留タンク２ａ，２ｂに戻される。
【００２０】
（実施例２）
次に実施例１にて示した揚送筒４の好ましい形態を実施例２として図７〜図１０に従いさらに詳細に説明する。この実施例２に示す揚送筒４は、図８に示したように、下方部４ｂの曲率半径Ｒが６００ｍｍ〜１２００ｍｍ（最も好ましくは９００ｍｍ）にて緩やかに湾曲し、パチンコ島台の長手方向と直交する方向の幅（島幅）Ｗが４００ｍｍ〜７００ｍｍ（最も好ましくは５００ｍｍ）に亘るように曲線状に形成される。このように、揚送筒４の下方部４ｂの曲率半径Ｒおよび幅Ｗによって定まる湾曲度を設定することにより、該揚送筒４の下端部に開設された流入口２２に研磨ペレットおよびパチンコ球を流入し易くすることができるとともに、該揚送筒４内に配置された螺旋状回転体１２の回転に伴うストレスを軽減することができる。即ち、曲率半径Ｒおよび幅Ｗを上記範囲内に設定することにより、螺旋状回転体１２の回転時の変形に伴う応力を最小限にしつつ、流入口２２を研磨ペレットおよびパチンコ球の流入を可能にする角度で上向きに開設することができる。
また、このように螺旋状回転体１２の回転に伴うストレスが軽減されることにより、揚送筒４の上端部に設けられた一台のモータ１３だけで該螺旋状回転体１２をスムースに回転駆動することが可能となる。
【００２１】
なお、流入口２２は揚送筒４の下端部の周壁の上半部を切除することにより形成され、該流入口２２の上方部が前記パチンコ球流込筐２３ａ，２３ｂの側壁および板状の囲壁２６によって囲われるようにしている。そして、該囲壁２６は両側縁部にビス２９を締付することにより開閉可能なるように止着されている。
また、前記ペレットタンク１５の下縁部に形成されたペレット流出口２５に流入口２２の上方部に延びる一対の縦板部３１ａ，３１ｂを備えたペレット流入用スロート３０を設けている。そして、該ペレット流入用スロート３０の両側にパチンコ球流入部３２ａ，３２ｂが形成されるようにしている。
【００２２】
このようにペレット流入用スロート３０を設けたことによっては、ペレットタンク１５から流出した研磨ペレットを流入口２２の直上にガイドするとともに、球流出口２４ａ，２４ｂから流出したパチンコ球が該ペレット流入用スロート３０の両側から該流入口２２に流入し得るようにガイドするので、一方のパチンコ球の勢力が強くて研磨ペレットの流入を邪魔するようなことがなく、常に均等にバランスを保持して研磨ペレットとパチンコ球とを該流入口２２に流入させることができる。
これによってパチンコ球の揚送研磨が常にスムースに行われる。
【００２３】
一般に研磨ペレットは使用により摩耗するため定期的に交換することを要するが、その場合、前記ビス２９を緩めて囲壁２６を外すことにより該研磨ペレットを外部に排出することができ、該囲壁２６はパチンコ島台間の通路と相対する方向であるので、通路からこうしたペレット交換作業を容易に行うことができる。
なお、囲壁２６は一側縁に蝶番を設けて開閉可能に支持するとともに他側縁に係脱操作可能な係合部材を設け、該係合部材を外すことにより該囲壁２６を開閉できるようにしてもよく、或いは、囲壁２６の両側縁にスライド部材を設け、該囲壁２６をスライド可能に設けることで簡単に開閉できるようにしてもよい。要するに、囲壁２６を開閉可能に固定する手段は適宜考えられる。
【符号の説明】
【００２４】
１                パチンコ球研磨揚送装置
２ａ，２ｂ        貯留タンク
３ａ，３ｂ        傾斜樋
４                揚送筒
４ｂ              下方部
５                上部タンク
１２              螺旋状回転体
１３              モータ
１４              ペレット戻管
１５              ペレットタンク
２２              流入口
２３ａ，２３ｂ    パチンコ球流込筺
２４ａ，２４ｂ    球流出口
２５              ペレット流出口
２６              囲壁
２９              ビス
３０              ペレット流入用スロート
３１ａ，３１ｂ    縦板部
３２ａ，３２ｂ    パチンコ球流入部
Ｒ                曲率半径
Ｗ                幅
【図１】
2018175769.tif 000003
【図２】
2018175769.tif 000004
【図３】
2018175769.tif 000005
【図４】
2018175769.tif 000006
【図５】
2018175769.tif 000007
【図６】
2018175769.tif 000008
【図７】
2018175769.tif 000009
【図８】
2018175769.tif 000010
【図９】
2018175769.tif 000011
【図１０】
2018175769.tif 000012
【図１１】
2018175769.tif 000013